(57)【特許請求の範囲】
【請求項１】
再閉封可能な容器であって、
対向する前面パネルおよび背面パネル、前記前面パネルと背面パネルの間に延在する対向する側壁、ならびに前記前面パネル、前記背面パネル、および前記側壁の下縁に接続された底面パネル、を有する基部であって、前記前面パネルは、固定部および引き剥がし部を含む、基部と、
開封位置と閉封位置の間を移動するように、背面パネルの上縁に枢動可能に接続されたカバーであり、前記カバーが前記閉封位置にある場合に、前記前面パネルと前記背面パネルの間に延在する上部と、前記上部に接続されており、前記カバーが前記閉封位置にある場合に、前記前面パネルと近接して平行に整列して配置された前部とを有するカバーと、
前記前面パネルの上縁にヒンジ接続され、前記カバーが前記閉封位置にある場合に、前記基部の前面パネルと前記カバーの前部の間に配置される係止パネルであって、複数のタブおよび引き剥がし部を有する係止パネルと
を備え、
前記係止パネルの引き剥がし部は、前記カバーの前部および前記前面パネルの引き剥がし部の両方に固定的に取り付けられており、前記閉封位置から前記開封位置への前記カバーの初期移動により、前記係止パネルの引き剥がし部および前記前面パネルの引き剥がし部がそれぞれ前記複数のタブおよび前記固定部から引き裂かれ、当該両方の引き剥がし部が前記カバーとともに旋回移動され、
前記前面パネルの引き裂きにより、前記前面パネルの引き剥がし部の嵌合面と、前記固定部の嵌合面と、が形成され、
前記係止パネル及び前記前面パネルの引き裂きにより、前記カバーの前部の内面に沿って画定される第１層と、前記係止パネルの引き剥がし部と前記前面パネルの引き剥がし部との間に画定される中間層と、前記前面パネルの引き剥がし部の内面に沿って画定され、下縁に前記前面パネルの引き剥がし部の嵌合面が位置する第３層と、を含む識別可能な複数の平行な層が形成され、
前記中間層に位置する前記係止パネルの引き剥がし部の内面は、前記固定部の外面と平行に当接するように移動可能であり、
前記係止パネルの引き剥がし部の内面が前記固定部の外面と平行に当接するとき、前記前面パネルの引き剥がし部の嵌合面が前記固定部の嵌合面と水平に整列し、前記カバーが前記閉封位置に固定され、
前記中間層の下縁と、前記第３層の下縁とは、単一の点でのみ整列することを特徴とする容器。
【請求項２】
前記係止パネルの引き裂きは、前記カバーの前部の内面から突出する複数の係合面を形成し、
前記複数のタブは、前記複数の係合面を係合し、前記閉封位置に前記カバーを固定するように構成されている、請求項１に記載の容器。
【請求項３】
前記複数のタブの各々は、前記前面パネルの上縁に枢動可能に接続されたヒンジ付き縁と、前記ヒンジ付き縁と対向する係合面を含み、
前記複数のタブの係合面は、前記カバーの前部の内面から突出した前記複数の係合面と整列し、前記カバーを前記閉封位置に固定するよう構成される、請求項２に記載の容器。
【請求項４】
前記複数のタブの係合面と前記カバーの前部の内面から突出した前記複数の係合面との間の係合は、聴覚的フィードバックおよび触覚的フィードバックの少なくとも一方を伴う、請求項２に記載の容器。
【請求項５】
前記係止パネルの引き裂きの前に、前記係止パネルは、
折り線に沿って前記前面パネルの上縁に接続されたヒンジ付き縁と、
前記ヒンジ付き縁と実質的に平行なオフセット縁と、
それぞれがヒンジ付き縁の一端に接続された第１の端部と、前記第１の端部に対向する第２の端部とを有する一対の側縁と、
前記一対の側縁の第２の端部を前記オフセット縁の端部に接続する一対の非線形縁と
を含む、請求項１に記載の容器。
【請求項６】
前記カバーの前部は、
折り線に沿って前記カバーの上部に接続された上縁と、
前記上縁の端部から延在する一対の前側縁と、
前記一対の前側縁の間に延在する湾曲した底縁と
を含み、
前記係止パネルは、前記カバーの前部の湾曲した底縁の曲率半径に等しい曲率半径を有する一対の湾曲した縁を含み、
前記一対の湾曲した縁は、前記カバーが閉封位置にある場合に、前記カバーの前部の湾曲した底縁に整列される、請求項１に記載の容器。
【請求項７】
前記前面パネルの引き剥がし部は、
折れ線に沿って前記係止パネルの縁に接続された上縁と、
前記上縁の端部から延在する一対の側縁と、
前記一対の側縁の間に延在する湾曲した下縁と
を含み、
前記前面パネルの引き剥がし部の湾曲した下縁は、前記カバーの前部の湾曲した底縁の曲率半径に実質的に等しい曲率半径を有する、請求項６に記載の容器。
【請求項８】
前記係止パネルと前記前面パネルとの間のヒンジ接続は目打ちされており、
前記目打ちは、前記前面パネルに対する前記係止パネルの回動を容易にし、
前記目打ちは、前記前面パネルに対する前記複数のタブの回動を容易にし、
前記目打ちは、前記ヒンジ接続の長さに沿って前記容器の表面にわたり延在する複数の溝を含み、前記溝は、前記ヒンジ接続の未切断部により分離されており、
前記溝は、０．４インチ（１０．１６ｍｍ）と０．７インチ（１７．７８ｍｍ）の間の長さを有する、請求項１に記載の容器。
【発明の詳細な説明】
【技術分野】
【０００１】
（関連出願の相互参照）
本出願は、２０１３年３月１４日に出願された、発明の名称が「確実な可聴式の封止手段を備える容器」である米国仮特許出願第６１／７８５，３７８号の利益を主張するものであり、その全体を参照により本明細書に援用する。
【０００２】
本開示は、一般に、折り曲げ可能な板状材料から形成される容器に関し、より具体的には、確実に再閉封可能な板紙容器に関する。
【背景技術】
【０００３】
板紙容器は、多様な製品の包装に広く使用されている。これらの製品の多くは、容器を最初に開封した後にも、容器内に適宜に保存することができる。しかし、多くの板紙容器は、最初に開封した後には、再閉封することができず、または封止したままにできない。多くの消費者製品（例えば、食品や洗剤等）では、封止したままにできないというこの不具合は、板紙容器内の内容物の流出、漏洩、または腐敗につながる可能性がある。有効に再閉封可能な板紙容器を開発することへの従来の試みは、顕著に多くの板紙を消費し、かつ、製造または組み立てに付加的な労力を必要とする複雑な設計に終わっている。
【０００４】
多くの板紙容器は、シールや開封帯等の不正開封防止機構を含む。これらの容器は、シールを破ることにより、最初の開封を行う。不正開封防止包装は、容器が以前に開封されていないということを消費者に保証する。しかし、このような特徴は、製造を困難または高価とするので、容器およびそれに収容される製品のコストを増加させる。したがって、従来の板紙容器の設計に関連する欠点を克服する、単純で効果的な板紙容器に対する要求が存在する。
【発明の概要】
【０００５】
本開示の一実施形態は、再閉封可能な容器である。容器は、対向する前面パネルおよび背面パネル、前面パネルと背面パネルの間に延在する対向する側壁、ならびに前面壁、背面壁、および側壁の下縁に接続された底面パネルを有する基部含む。前面パネルは、折り罫線によって画定された引き剥がし部を含む。容器は、開封位置と閉封位置の間を移動するように、背面パネルの上縁に枢動可能に接続されたカバーをさらに含み、カバーは、カバーが閉封位置にある場合に、前面パネルと背面パネルの間に延在する上部と、上部に接続されており、カバーが閉封位置にある場合に、前面パネルと近接して平行に整列して配置された前部とを有する。容器は、前面パネルの上縁にヒンジ接続され、カバーが閉封位置にある場合に、基部の前面パネルとカバーの前部の間に配置される係止パネルをさらに含み、係止パネルは、第１のタブ、第２のタブ、および折り罫線によって画定される引き剥がし部を有する。係止パネルの引き剥がし部は、カバーの前部および前面パネルの引き剥がし部の両方に固定的に取り付けられているので、閉封位置から開封位置へのカバーの初期移動により、係止パネルおよび前面パネルが折り罫線に沿って引き裂かれ、両方の引き剥がし部がカバーとともに旋回移動される。いくつかの実施形態では、係止パネルの引き裂きは、カバーの前面部の内面から突出する一対の係合面を形成する。第１および第２のタブは、これらの係合面を係合し、閉封位置にカバーを固定するように構成されており、係合は、聴覚的なフィードバックおよび触覚的なフィードバックの少なくとも一方を伴う。
【０００６】
本開示の別の実施形態は、再閉封可能な容器を構成する方法に関する。この方法は、対向する前面パネルおよび背面パネル、前面パネルと背面パネルの間に延在する対向する側壁、ならびに前壁、背壁、および側壁の下縁に接続された底面パネルを有する基部を提供することを含み、前面パネルは、折り罫線によって画定された引き剥がし部を含む。この方法は、開封位置と閉封位置の間を移動するように、背面パネルの上縁に枢動可能に接続されたカバーを提供することをさらに含み、カバーは、カバーが閉封位置にある場合に、前面パネルと背面パネルの間に延在する上部と、上部に接続されており、カバーが閉封位置にある場合に、前面パネルと近接して平行に整列して配置された前部とを有する。この方法は、前面パネルの上縁にヒンジ接続され、カバーが閉封位置にある場合に、基部の前面パネルとカバーの前部の間に配置される係止パネルを提供することをさらに含み、係止パネルは、第１のタブ、第２のタブ、および折り罫線によって画定される引き剥がし部を有する。この方法は、係止パネルの引き剥がし部を前面パネルの引き剥がし部に固定的に取り付けること、および、カバーを閉封位置にして、係止パネルの引き剥がし部をカバーの前部の内面に固定的に取り付けることをさらに含み、固定的な取り付けにより、カバーを閉封位置から開封位置へ動かした際に、係止パネルおよび前面パネルが折り罫線に沿って引き裂かれる。
【０００７】
いくつかの実施形態では、前面パネルの引き裂きは、前面パネルの引き剥がし部の縁から突出する第１の係合面と、前面パネルの固定部の縁から突出する第２の係合面を形成する。前面パネルの固定部は、第２の係合面に実質的に垂直で、第２の係合面と底面パネルとの間に配置された整列面を含むことができる。係止パネルの引き剥がし部の表面を、整列面に平行に当接する向きとすることで、第１の係合面を第２の係合面に整列させることができる。
【０００８】
上記したところは概要であり、したがって、必然的に詳細の単純化、一般化、および省略を含むものである。したがって、当業者は、概要は単に例示であり、いかなる場合も限定を意図するものではないことを理解するであろう。特許請求の範囲によってのみ定義される他の態様、発明の特徴、ならびに本明細書に記載される装置および／または方法の利点は、添付の図面を参照しつつ本明細書に記載した詳細な説明において明らかになるであろう。
【図面の簡単な説明】
【０００９】
【図１】基部、基部の背面パネルに枢動可能に取り付けられたカバー、および基部の前面パネルにヒンジ取り付けされた係止パネルを有する、例示的実施形態に従う再閉封可能な折り曲げ容器の図であり、カバーが開封位置にあり、前面パネルおよび係止パネルの引き剥がし部をカバーの内面に留めた状態で示す。
【図２】例示的な実施形態に従う再閉封可能な折り曲げ容器の図であり、カバーが閉封位置にある状態で示す。
【図３】例示的な実施形態に従う、図１の再閉封可能な折り曲げ容器を構築するために使用することができるダイカット板紙ブランクの平面図であり、様々な折り線により区切られた複数の基部パネル、カバーパネル、側面パネル、および目打ちされた係止パネルを示す。
【図４】例示的な実施形態に従う、部分的に折り曲げられた状態のダイカット板紙ブランクの図であり、基部パネル、カバーパネル、および側面パネルを区切る折り線の幾つかを折り曲げた状態で示す。
【図５】例示的な実施形態に従う、他の部分的に折り曲げられた状態のダイカット板紙ブランクの図であり、基部パネル、カバーパネル、および側面パネルを区切る折り線をさらに折り曲げた状態で示す。
【図６】例示的な実施形態に従う、完全に折り曲げられた状態のダイカット板紙ブランクの図であり、係止パネルを前面パネルに平行に当接するよう折り曲げ、係止パネルの引き剥がし部を前面パネルの引き剥がし部に留めて示す。
【図７】例示的な実施形態に従う、再閉封可能な板紙容器の側断面図であり、係止パネルの引き剥がし部を係止パネルのヒンジ式タブから分離した後に、カバーを部分的に閉じた状態で示す。
【図８】例示的な実施形態に従う、カバーを完全に閉じた状態の再閉封可能な板紙容器の側断面図であり、ヒンジ式タブを係止パネルの引き剥がし部に整列させた状態で示す。
【図９】例示的な実施形態に従う、再閉封可能な板紙容器の側断面図であり、前面パネルの引き剥がし部を前面パネルの静止部から分離した後に、カバーを部分的に閉じた状態で示す。
【図１０】例示的な実施形態に従う、カバーを完全に閉じた状態の再閉封可能な板紙容器の側断面図であり、前面パネルの引き剥がし部を前面パネルの静止部に整列させた状態で示す。
【発明を実施するための形態】
【００１０】
再閉封可能に折り曲げられた容器および／またはその構成要素の詳細について説明する前に、本明細書における「前」、「後」、「背」、「側」、「上」、「下」、「内」、「外」、「右」、および「左」への言及は、様々な要素を、図面における向きで識別するために使用されているに過ぎないことに留意すべきである。様々な要素を様々な用途で異なる向きとすることができるので、これらの用語は、それらが説明する要素を限定することを意味するものではない。
【００１１】
本開示の目的のために、「連結」または「取り付け」という用語は、２つの部材（例えば、面、縁、パネル等）を互いに直接的にまたは間接的に結合することを意味することに留意すべきである。かかる結合は、実質的に固定されたものであってもよく、実質的に可動であってもよい。かかる接合は、２つの部材で達成してもよく、または、２つの部材と任意の付加的な中間部材とを用いて達成してもよい。かかる結合は、実質的に永続的（例えば、固定的な取り付け、締結、接着等）であってもよく、または実質的に一時的（例えば、解除可能な取り付け、係合等）であってもよい。
【００１２】
図面を全体的に参照し、例示的な実施形態に従う再閉封可能に折り曲げられた容器およびその構成要素が示されている。いくつかの実施例では、容器を、食品を包装するために用いることができる。容器は、任意の種類の折り曲げ可能な板状材料（例えば、板紙、紙、厚紙、金属薄板、折り曲げ可能なプラスチック等）とすることができる。いくつかの実施形態では、容器は、ダイカット板紙ブランクから構成されてもよい。他の実施形態によれば、板紙ブランクを、容器に充填をし、カートンを閉封封緘するための箱詰め機に搬送可能な、予め糊付けされたスリーブまたはチューブとして提供してもよい。かかる変形の全てを本開示の範囲内に包含することを意図している。
【００１３】
再閉封可能な容器は、前面パネルと、底面パネルと、背面パネルと、左側壁および右側壁を形成するよう組み合わされ、および／または、重ね合わされる複数の側面パネルとを含む六面長方形状容器とすることができる。側面パネルの寸法および形状は、有利なダイカットパターンを介して、迅速な製造および／または包装操作を容易にし、折り曲げられた板状材料を効率的に使用するように最適化することができる。容器は、背面パネルの上縁に（例えば折り線に沿って）枢動可能に取り付けられ、開封位置と閉封位置との間で可動である再閉封可能なカバーを含む。いくつかの実施形態では、カバーは、カバーが閉封位置にある場合に底面パネルと平行な上部と、カバーが閉封位置にある場合に前面パネルと近接して平行に整列された前部とを含む。
【００１４】
有利には、前面パネルを上縁に沿って係止パネルにヒンジ取り付けすることができる。係止パネルは、ヒンジ付き縁に沿って、１つ以上の目打ちされたタブを含むことができる。係止パネルを折り曲げ、前面パネルの、外向き面と平行に当接させてもよい。係止パネルは、カバーの前部の内面に固定的に取り付けられた引き剥がし部を含む。容器が最初に開封されると、引き剥がし部は、ヒンジ付きタブから抜け出すことができる。再閉封されると、タブは、カバーに固定的に取り付けられた引き剥がし部と再係合し、カバーを閉封位置に固定する。このような再係合は、再閉封が成功したことを示す聴覚的または触覚的フィードバック（例えば、クリック、弾発等）を伴うことができる。
【００１５】
ここで図１および図２を参照し、例示的な実施形態に従う再閉封可能な折り曲げ式容器１００が示されている。いくつかの実施形態において、容器１００をダイカット板紙ブランクから構成してもよい。他の実施形態において、容器１００は、任意の種類の折り曲げ可能な板状材料（例えば、板紙、紙、厚紙、金属薄板、折り曲げ可能なプラスチック等）から作ることができる。容器１００は、底部１１０と、底部１１０に枢動可能に接続されたカバー１２０と、カバー１２０を閉封位置に固定する係止タブ１４２、１４４を有する長方形状六面体（例えば、六面）容器として図示されている。
【００１６】
ベース１１０は、前面パネル１１２と、対向する背面パネル１１４を含むことが示されている。前面パネル１１２および背面パネル１１４は、一対の対向する側壁１１６、１１８により離間された、平坦で平行なパネルとすることができる。側壁１１６、１１８は、前面パネル１１２と背面パネル１１４との間に延在する平行な側壁（例えば、左側壁および右側壁）とすることができる。基部１１０はさらに、前面パネル１１２、背面パネル１１４、および側壁１１６、１１８の下縁部に接続された底面パネル１１９を含むことが示されている。
【００１７】
いくつかの実施形態では、前面パネル１１２、背面パネル１１４、および／または底面パネル１１９は、折り曲げられた板状材料の単一層から形成された実質的に長方形のパネルとすることができる。例えば、より大きな長方形のパネルを２箇所（例えば、折り線１３２および折り線１３４）で折り曲げ、前面パネル１１２、背面パネル１１４および底面パネル１１９を形成することができる。側壁１１６、１１８は、前面パネル１１２、背面パネル１１４、または底面パネル１１９をヒンジ接続する複数の組み合わせおよび／または重ね合わせた側面パネルから形成されてもよい。いくつかの実施形態において、側壁１１６、１１８は、カバー１２０の一部に取り付けられた１つ以上のパネルによって部分的に形成されてもよい。側面パネルを、折り曲げられた状態で容器１００を保持するように（例えば、接着剤により）一緒に留めることができる。
【００１８】
引き続き図１および図２に参照し、容器１００は、カバー１２０を含むことが示されている。カバー１２０は、（例えば図１に示す）開封位置と（例えば図２に示す）閉封位置との間を移動するために、基部１１０に対して回動可能とすることができる。カバー１２０は、上部１２２および前部１２４を含むことが示されている。上部１２２は、折り線１３６に沿って背面パネル１１４の上縁に枢動可能に接続された平坦な長方形状のパネルであってもよい。カバー１２０が閉封位置にある場合に、上部１２２を、底面パネル１１９に実質的に平行な向きとすることができる。    
【００１９】
前部１２４は、折り線１３８に沿って上部１２２に取り付けられた平面パネルとして示されている。カバー１２０が閉封位置にある場合、前部１２４を、前面パネル１１２と近接して平行に整列して配置することができる。いくつかの実施形態では、前部１２４は、湾曲した底面縁１２６を含む。縁１２６は、（例えば、「スマイル」マークを模倣することにより）容器１００に美的な外観を付与することができる。いくつかの実施形態では、前面パネル１１２は、湾曲した縁１１３も含む。縁１１３は、縁１２６の曲率半径に実質的に等しい曲率半径を有することができる。
【００２０】
いくつかの実施形態では、容器１００は、容器１００の高さ（例えば、底面パネル１１９と上部１２２との間の距離）および奥行（例えば、前面パネル１１２と背面パネル１１４との間の距離）の両方を超える幅（例えば、側壁１１６と側壁１１８との間の距離）を有することができる。いくつかの実施形態では、容器１００の寸法は、容器１００の高さと幅のアスペクト比が実質的に奥行と高さのアスペクト比に等しくなるように選択することができる。例えば、底面パネル１１９と上部１１２との間の距離（例えば、容器高さ）と、左壁１１６と右壁１１８との間の距離（例えば、容器の幅）との比は、前面パネル１１２と背面パネル１１４との間の距離（例えば、容器奥行）と、底面パネル１１９と上部１１２（例えば、容器高さ）との比と実質的に等しくすることができる。いくつかの実施形態では、容器１００の１つ以上のアスペクト比を、「美的黄金比」（すなわち、約１：１．６１８）に近づける（例えば、１５％以内、２０％以内等）ことができる。
【００２１】
引き続き図１および２を参照し、容器１００は、係止タブ１４２、１４４を含むことが示されている。タブ１４２、１４４を、前面パネル１１２の上縁に枢動可能に取り付けることができる。タブ１４２、１４４を、カバー１２０が閉封位置にある場合に、前部１２４の内面から突出する１つ以上の面（例えば、面１４３、１４５）に係合するよう構成することができる。例えば、タブ１４２が面１４３と係合するよう構成し、タブ１４４が面１４５と係合するよう構成してもよい。いくつかの実装形態では、タブ１４２、１４４を用いて、カバー１２０を閉封位置に固定（例えば、係止、保持、締結等）することができる。有利には、タブ１４２、１４４と面１４３、１４５との間の係合は、かかる係合の際に触覚的および／または聴覚的フィードバック（例えば、クリック、弾発等）を与え、これによって、カバー１２０が閉封位置に固定されたことを確約することができる。
【００２２】
次に図３を参照し、例示的な実施形態に従う、容器１００を形成するために使用されるブランク２００の平面図を示す。図３に示すブランク２００の表面は、容器１００の外面を形成することができる。ブランク２００は、板紙のダイカットシートまたは任意の他の折り曲げ可能な板状材料とすることができる。いくつかの実施例では、ブランク２００は、折り線で区切られた複数のパネルを有する単一の板紙シートとすることができる。ブランク２００は、前面パネル１１２、底面パネル１１９、および背面パネル１１４を含む複数の基部パネルを含むことが示されている。前面パネル１１２と下部パネル１１９は、折り線１３２で区切られている。底面パネル１１９と背面パネル１１４は、折り線１３４で区切られている。いくつかの実施形態では、パネル１１２、１１４、および１１９は、実質的に長方形のパネルとすることができる。いくつかの実施形態では、ブランク２００を１本以上の折り線に沿って予め折り曲げ（例えば、折り目を付ける、曲げる等）、その後の折り曲げた容器の構築を容易にすることができる。
【００２３】
いくつかの実施形態では、前面パネル１１２は、固定部１１３および引き剥がし部１１５を含んでいる。固定部１１３および引き剥がし部１１５は、ブランクの材料に形成された弱化領域または線で区切ることができる。例えば、弱化領域または線は、相対的に厚さを減じた領域によって画定することができ、または、目打ちもしくは折り目付け（例として折り罫線１１７として示すが、任意の他の形態の引き剥がし線が、本明細書で説明する様々な折り罫線に使用でき、かつ、本開示の範囲に入ることを意図する）等の他の弱化要素を有することができる。折り罫線１１７は、固定部１１３と引き剥がし部１１５との間の目打ちされた境界とすることができる。いくつかの実施形態では、折り罫線１１７は、ブランク２００の全体を、複数の接続点を残して完全に切断したもの（例えば切り目）とすることができる。接続点は、固定部１１３と引き剥がし部１１５との間に弱い接続を形成することができるので、最小限の分離力を適用することにより、引き剥がし部１１５を固定部１１３から容易に分離（例えば、、引き離し、除去、取り外し等）することができる。いくつかの実施形態では、接続点は、固定部１１３と引き剥がし部１１５との間に延在する短い未切断片とすることができる。いくつかの実施形態では、接続点は、約０．０２インチの幅（例えば、折り罫線１１７に沿った方向）を有することができる。他の実施形態では、接続点は、代替材料および／または代替実施例に適しているであろう、より大きな幅またはより小さな幅を有することができる。
【００２４】
引き続き図３を参照し、ブランク２００は、上部パネル１２２および前部パネル１２４を含む複数のカバーパネルをさらに含むことが示されている。上部パネル１２２は、実質的に長方形のパネルとすることができる。上部パネル１２２は、折り線１３６により背面パネル１１４から区切られる。前部パネル１２４は、折り線１３８により上部パネル１２２から区切られる。いくつかの実施形態では、前部パネル１２４は、折り線１３８と同一直線上にある上縁、折り線１６９、１７０と同一直線上にある一対の側縁、および下端１２６を含むことができる。いくつかの実施形態では、下縁１２６は、湾曲した縁である。下縁１２６は、折り罫線１１７の曲率半径に実質的に等しい曲率半径を有することができる。
【００２５】
引き続き図３を参照し、ブランク２００は、係止パネル１４０をさらに含むことが示されている。係止パネル１４０は、前面パネル１１２にヒンジ取り付けされ、折り線１３０によって前面パネル１１２から区切られることができる。いくつかの実施形態では、係止パネル１４０は、折り縁１３０と同一直線上にある縁と、折り線１３０に平行なオフセット縁を含む。係止パネル１４０は、一対の側縁１８１および１８２をさらに含むことができる。縁部１８１、１８２の各々は、折り線１３０の一端に接続された第１の端部と、第１の端部に対向する第２の端部を有することができる。いくつかの実施形態では、係止パネル１４０は、側縁１８１、１８２の第２の端部を、オフセット縁の端部に接続する一対の縁１８３、１８５をさらに含むことができる。いくつかの実施形態において、縁１８３、１８５を、湾曲した縁とすることができる。縁１８３、１８５は、縁１２６の曲率半径に実質的に等しい曲率半径を有することができる。
【００２６】
係止パネル１４０は、第１のタブ１４２、第２のタブ１４４、および引き剥がし部１４６を含むことが示されている。いくつかの実施形態では、タブ１４２、１４４を、前面パネル１１２の固定部１１３にヒンジ接続することができる。タブ１４２、１４４を、係止パネル１４０の長方形の部分とすることができる。いくつかの実施形態では、タブ１４２は、折り線１３０の第１の端部に沿って前面パネル１１２に取り付けられ、タブ１４０は、折り線１３０の第２の端部に沿って前面パネル１１２に取り付けられる。いくつかの実施形態では、引き剥がし部１４６は、係止パネル１４０の実質的に「Ｔ字型」の部分である。引き剥がし部１４６は、前面パネル１１２の引き剥がし部１１５にヒンジ接続することができる。
【００２７】
いくつかの実施形態では、タブ１４２を、折り罫線１４７によって引き剥がし部１４６から区切る（例えば、区別する、区分けする等）ことができる。同様に、タブ１４４を、折り罫線１４９によって引き剥がし部１４６から区切ることができる。折り罫線１４７、１４９は、引き剥がし部１４６とタブ１４２、１４４間の目打ちされた境界とすることができる。いくつかの実施形態では、折り罫線１４７、１４９は、ブランク２００の全体を、複数の接続点を残して完全に切断したもの（例えば切り目）とすることができる。接続点は、引き剥がし部１４６とタブ１４２、１４４との間に弱い接続を形成することができるので、最小限の分離力を適用することにより、引き剥がし部１４６を固定部タブ１４２、１４４から容易に分離することができる。いくつかの実施形態では、接続点は、引き剥がし部１４６とタブ１４２、１４４との間に延在する短い未切断片とすることができる。いくつかの実施形態では、接続点は、約０．０２インチの幅（例えば、折り罫線１１７に沿った方向）を有することができる。他の実施形態では、接続点は、代替材料および／または代替実施例に適しているであろう、より大きな幅またはより小さな幅を有することができる。
【００２８】
いくつかの実施形態において、線１３０は、目打ちされ、または、部分的に破断した（例えば、溝を設けた、付加的に切断した等）線とすることができる。かかる目打ちは、前面パネル１１２に対する係止パネル１４０の回動を容易にすることができる。いくつかの実施形態では、タブ１４２、１４４を、線１３０に沿ってタブ１４２、１４４の角部のみで固定部１１３に取り付けることができる。例えば、溝または切り込みを、タブ１４２、１４４の角部の間でブランク２００に（例えば、線１３０に沿って）切り通すことができる。この溝により、タブ１４２、１４４を固定部１１３に対してより容易に回動することが可能となる。いくつかの実施形態では、溝は、０．４インチと０．７インチの間の（例えば、線１３０に沿った）長さを有することができる。いくつかの実施形態では、溝は、約０．５インチの長さを有することができる。線１３０は、線１３０の全長に沿って、複数のかかる溝を有することができる。いくつかの実施形態では、溝は、線１３０の未切断部によって分離されてもよい。このような未切断部は、０．１６インチと０．１８インチの間の長さを有することができる。いくつかの実施形態では、未切断部の長さは約０．１７インチとすることができる。他の実施形態では、溝の長さと未切断部の長さは、代替材料および／または代替実施例に適するように、より大きくまたはより小さくすることができる。
【００２９】
引き続き図３を参照し、ブランク２００は、複数の側面パネル１５１〜１６０をさらに含むことが示されている。側面パネル１５１〜１６０は、基部パネル１１２〜１１９およびカバーパネル１２２〜１２４の側縁から外方に延びることが示されている。側面パネル１５１および１５２は、折り線１６１および１６２によって前面パネル１１２から区切られている。側面パネル１５３および１５４は、折り線１６３および１６４によって底面パネル１１９から区切られている。側面パネル１５５および１５６は、折り線１６５および１６６により背面パネル１１４から区切られている。側面パネル１５７および１５８は、折り線１６７および１６８により、上部パネル１２２から区切られている。側面パネル１５９と１６０は、折り線１６９および１７０によって前部パネル１２４から区切られている。いくつかの実施形態では、ブランク２００を折り線１６１〜１７０に沿って予め折り曲げ、その後の容器への組み立てを容易にすることができる。いくつかの実施形態では、線１６５、１６６に折り目を付け（例えば、目打ちし、部分的に破断し、付加的に切断し、等）、容器１００からの側面パネル１５５、１５６の折り曲げを容易し、または、容器１００からの側面パネル１５５、１５６の除去を可能にする。
【００３０】
ブランク２００を折り曲げて容器１００にする際、２つ以上の側面パネル１５１〜１６０を重ね合わせ、および／または、組み合わせて、（図２に示すように）側壁１１６、１１８を形成する。例えば、側面パネル１５２、１５４、１５６、１５８、１６０が側壁１１６を形成し、側面パネル１５１、１５３、１５５、１５７、１５９が側壁１１８を形成することができる。いくつかの実施形態では、結合剤または接着剤を、側面パネル１５１〜１６０の重ね合わせ部の間に塗布することができる。接着剤は、重ね合わせたパネル１５１〜１６０を一緒に保持（例えば、結合、付着、固定、締結等）することができる。他の実施形態では、他の締結装置（例えば、止め金、溶接、リベット、クランプ等）を用いて重ね合わせたパネルを締結することができる。かかる締結は、容器１００を、折り曲げられた三次元の状態に維持することができる。
【００３１】
ここで図４を参照し、例示的な実施形態に従う容器１００は、部分的に折り曲げられた状態で示されている。図４において、ブランク２００は、図３に示す視点から反転されており、図３で見えていた面が図４では下を向いて示されている。折り線１３８に沿って１ブランク２００を折り曲げることにより、容器１００を組み立てることができる。側面パネル１５７および１５９を、折り線１６７、１６９に沿って折り曲げ、一緒に留めることができる。側面パネル１５８および１６０を、折り線１６８、１７０に沿って折り曲げ、一緒に留めることができる。いくつかの実施形態では、側面パネル１５７、１５８の外向き面を、側面パネル１５９、１６０の内向き面に接合することができる。他の実施形態では、側面パネルの内向き面１５７、１５８を、側面パネル１５９、１６０の外向き面に接合することができる。
【００３２】
折り線１３２に沿ってブランク２００を折り曲げることにより、容器１００をさらに組み立てることができる。側面パネル１５１および１５３を折り線１６１、１６３に沿って折り曲げ、一緒に留めることができる。側面パネル１５２および１５４を折り線１６２、１６４に沿って折り曲げ、一緒に留めることができる。いくつかの実施形態では、側面パネル１５１、１５２の外向きに面を、側面パネル１５３、１５４の内向き面に接合することができる。他の実施形態では、側面パネルの内向き面１５１、１５２を、側面パネル１５３、１５４の外向き面に接合することができる。
【００３３】
ここで図５を参照し、例示的な実施形態に従う容器１００が、他の部分的に折り曲げられた状態で示されている。容器１００は、折り線１３４に沿ってブランク２００を折り曲げることにより、図４に示す状態から図５に示す状態に変化することができる。側面パネル１５１を折り線１６５に沿って（図４に示すように）折り曲げ、側面パネル１５１および１５３の組に留めることができる。いくつかの実施形態では、側面パネルの外向き面１５１、１５３を、側面パネル１５５の内向き面に接合することができる。他の実施形態では、側面パネルの内向き面１５１、１５３を、側面パネル１５５の外向き面に接合することができる。側面パネル１５６を、折り線１５６に沿って折り曲げ、側部パネル１５２および１５４の組に留めることができる。いくつかの実施形態では、側面パネルの外向き面１５２、１５４を、側面パネル１５６の内向き面に接合することができる。他の実施形態では、側面パネルの内向き面１５２、１５４を、側面パネル１５６の外向き面に接合することができる。
【００３４】
ここで図６を参照し、例示的な実施形態に従う容器１００は、完全に折り曲げられた状態で示されている。容器１００は、接着剤（例えば、糊、エポキシ樹脂等）を引き剥がし部１１５の外向き面（図５に示す）に塗布し、折り線１３０に沿って係止パネル１４０を外向きにおよび下向きに約１８０度折り曲げることにより、図５に示す状態から図６に示す状態に変化することができる。このように係止パネル１４０を外向きに折り曲げた後、接着剤を塗布した引き剥がし部１４６の先程は外向きだった面を、引き剥がし部１１５の外向き面と平行に当接して配置することができる。引き剥がし部１１５は、引き剥がし部１１５、１４６の間の接着剤層を介して引き剥がし部１４６に固定的に取り付けることができる。
【００３５】
いくつかの実施形態では、係止パネル１４０と前面パネル１１２との間の接着剤は、タブ１４２、１４４を前面パネル１１２に留めなくてもよい。したがって、タブ１４２、１４４と引き剥がし部１４６との間の接続が破壊されると、タブ１４２、１４４は折り線１３０の周りを自由に回転することができる。いくつかの実施形態では、係止パネル１４０と前面パネル１１２との間に接着剤は、引き剥がし部１４６と引き剥がし部１１５との間のみに延在することができる。換言すれば、引き剥がし部１４６とタブ１４２、１４４のいずれも、固定部１１３に固定しなくてもよい。
【００３６】
引き続き図６を参照し、（例えば、図６に示す）引き剥がし部１４６の外向き面に接着剤を塗布し、カバー１２０を閉封位置に動かす（例えば、折り線１３６に沿って容器１００を約９０度折り曲げる）ことにより容器１００の構築を完了することができる。閉封位置では、係止パネル１４０は、前面パネル１１２と前部１２４との間に配置される。引き剥がし部１４６の外向き面上の接着剤は、引き剥がし面１４６を前部１２４の内向き面に固定的に取り付けることができる。
【００３７】
ここで図１〜６を参照し、その後の、閉封位置から開封位置に向かうカバー１２０の動き（すなわち、最初の開封）により、引き剥がし部１４６の、折り罫線１４７、１４９に沿ってのタブ１４２、１４４からの分離（切り取り、引き剥がし等）を引き起こすことができる。かかる分離は、引き剥がし部１４６とカバー１２０との間の、かかる構成要素の間の接着剤による固定的な取り付けによって引き起こされる。さらに、閉封位置から開封位置に向かってのカバー１２０の動きにより、引き剥がし部１１５の、折り罫線１１７に沿っての固定部１１３からの分離を引き起こすことができる。かかる分離は、引き剥がし部１１５と引き剥がし部１４６との間の固定的な取り付け（例えば、接着剤による）によって引き起こすことができる。開封位置に向かってのカバー１２０の連続的な動きにより、引き剥がし部１１５、１４６の、カバー１２０と一緒の動き（例えば、折り線１３０の周りの回動）を引き起こすことができる。
【００３８】
有利には、カバー１２０の初期開封時の引き剥がし部１１５、１４６の分離は、容器１００に対する不正開封防止機構として機能することができる。例えば、消費者は、引き剥がし部１１５、１４６がそれぞれ固定部およびタブ１４２、１４４に付着したままであれば、容器１００は開封されていないと合理的に結論付けることができる。かかる不正開封防止手段は、消費者に、容器１００の内容物に関する製品の完全性、品質、および／または鮮度を保証することができる。
【００３９】
いくつかの実施形態では、タブ１４２、１４４からの引き剥がし部１４６の分離は、新しい面１４３、１４５、１８２、および１８４を作ることができる。面１４３、１４５は、引き剥がし部１４６の側面に沿って前部１２４の内面から突出することが示されている。面１８２、１８４は、折り線１３０に対向してタブ１４２、１４４の側面に沿って延びることが示されている。面１４３、１４５、１８２、１８４の各々は、容器１００を形成するために使用される板状材料の厚さに等しい高さと、タブ１４２、１４４の幅に等しい幅を有する長方形の面とすることができる。カバー１２０が閉封位置にある場合に、面１４３は面１８２と整列するように構成することができ、面１４５は面１８４と整列するように構成することができる。
【００４０】
同様に、固定部１１３からの引き剥がし部１１５の分離により、新しい面１８８および１８９を作ることができる。面１８８は、引き剥がし部１１５の縁１１１に沿って湾曲した面とすることができる。面１８９は、固定部１１３の側面に沿って湾曲した面とすることができる。面１８８、１８９の各々は、容器１００を形成するために使用される板状材料の厚さに相当する高さを有することができ、折り罫線１１７によって画定された経路に沿うことができる。カバー１２０が閉封位置にある場合に、面１８８は面１８９と整列するように構成することができる。有利には、以前には単一のパネルの分離による嵌合面１４３、１８２；１４５、１８４；および１８８、１８９の形成は、容器を再封閉した際のかかる面の適切な整列を確実なものとすることができる。
【００４１】
再び図１を参照し、一実施形態に従う容器１００は、閉封位置にあるカバー１２０とともに示されている。引き剥がし部１４６は、前部１２４の内側面に固定的に取り付けられることが示されている。引き剥がし部１１５は、引き剥がし部１４６を固定的に取り付けられることが示されている。タブ１４２、１４４は、容器１００が最初に開封された後も、前面パネル１１２に枢動可能に取り付けられたままである。かかる枢動可能な取り付けは、折り線１３０の周りの、タブ１４２、１４４の回動を容易にすることができる。いくつかの実施形態では、引き剥がし部１４６の縁１８３、１８５は、（例えば、曲率半径が等しいので）前部１２４の縁１２６に整列することができる。
【００４２】
図１に示すように、面１８８は、（例えば、縁１４８の直線性と表面１８８の曲率により）単一の点で縁１４８に整列することができる。換言すれば、面１８８と縁１４８を接線方向に整列させることができる。他の実施形態では、面１８８は、縁１４８と全く整合しなくてもよい。かかる整列または不整列は、縁１１１の長さに沿った単一の点を除いて完全に識別可能な３つの平行な層となる。例えば、第１層は、前部１２４の内面に沿って画定される。中間層は、引き裂き部１１５と１４６との間に画定される。第３層が引き剥がし部１１５の反対側（例えば、図１で視認できる側）に沿って画定されている。有利には、カバー１２０を、最初の開封後に再閉封する場合に、３つの別個の平行な層の存在は、面１８９と面１８８の整列を容易にすることができる。
【００４３】
ここで図７および８を参照し、例示的な実施形態に従う容器１００の２つの断面２０５および２１０が示されている。断面２０５および２１０は、タブ１４２またはタブ１４４の中間点で取った側面斜視断面図（例えば、側壁１１８から側壁１１６に向けて水平方向に見たもの）である。断面２０５は、カバー１２０がわずかに開いた位置にある容器１００を図示しており、断面２１０は、カバー１２０が閉封位置にある容器１００を図示している。
【００４４】
いくつかの実施形態では、カバー１２０が開いている場合には、タブ１４２、１４４は、折り線１３０の周りを上方および外側に回動することができる。容器１００を開封した後に、内容物の一部を取り出し、カバー１２０を閉封位置に（例えば、残った内容物を保護および／または保存するために）戻すことができると考えられる。カバー１２０を再閉封する場合には、タブ１４２、１４４を（例えば、固定部１１３に向かって）下方向および内方向に回動させることができる。かかる下方向および内方向への回動中に、引き剥がし部１４６の内向き面１９３は、タブ１４２、１４４の縁１９５（例えば、対向する折り線１３０の縁）を係合することができる。カバー１２０が閉封位置に到達するまで、縁１９５は表面１９３に沿って摺動することができる。
【００４５】
カバー１２０が閉封位置に到達すると、タブ１４２、１４４は、面１８２、１８４が面１４３、１４５に係合する確実な閉封位置に「嵌めこまれ」る。有利には、このような係合は、有効な再閉封を表す聴覚的および／または触覚的フィードバック（例えば、弾発、クリック等）を伴うことができる。また、かかる係合は、カバー１２０を閉封位置に解除可能に固定し、それにより容器１００が不用意に開くのを防ぐこともできる。
【００４６】
ここで図９および１０を参照し、例示的な実施形態に従う容器１００の２つの断面２１５および２２０が示されている。断面２１５および２２０は、タブ１４２とタブ１４４との間の点で取った側面斜視断面図（例えば、側壁１１８から側壁１１６に向けて水平方向に見たもの）である。断面２２０は、カバー１２０がわずかに開いた位置にある容器１００を図示しており、断面２２０は、カバー１２０が閉封位置にある容器１００を図示している。
【００４７】
カバー１２０が閉封位置に回動すると、上部１２４は、固定部１１３と近接して平行に整列するよう移動することができる。湾曲面１８８は、カバー１２０が完全に閉じた位置に到達した場合に、湾曲面１８９と係合することができる。面１８８と面１８９との間のこの係合は、閉封位置にあるカバー１２０の適切な垂直方向の整列を確実にすることができる。有利には、縁１１１の長さに沿った３つの平行な層の存在は、嵌合する面１８８、１８９の適切な水平方向の整列を容易にすることができる。例えば、引き剥がし部１４６の内向き面１９２は、固定部１１３の外向き面１９４と平行に当接するよう移動することができる。この平行な当接は、面１８８が適切に水平方向で面１８９と整列するのを保証することができる。また、この平行な当接は、面１８２、１８４が適切に面１４３、１４５と整列するのを保証することができる。
【００４８】
例示的な実施形態に示すような、再閉封可能に折り曲げられた容器の要素の構成および配置は単なる例示に過ぎない。本開示のいくつかの実施形態のみを詳細に説明したが、この開示を検討した当業者には、記載した主題の新規な教示および利点から実質的に逸脱することなく、多くの修正（例えば、様々な要素の大きさ、寸法、構造、形状および比率の変化、パラメータの値、取り付け配置、材料の使用、色、向き等）が可能であることを容易に理解するであろう。例えば、一体的に形成されたとして示された要素は、複数の部品または要素で構成することができる。要素および組立体は、多様な色、テクスチャ、およびそれらの組み合わせのいずれかにおいて、十分な強度および耐久性を提供する多様な材料のいずれかから構成することができる。さらに、本明細書において、「例示的」なる用語は、例、事例、または例示であることを意味するために用いられる。「例示的」として記載された任意の実施形態または構成は、他の実施形態または構成よりも好ましいまたは有利であると解釈される必要はない。むしろ、「例示的」なる用語の使用は、具体的な形で概念を提示することを意図している。従って、かかる修正の全てを、本開示の範囲内に含むことを意図している。他の置換、修正、変更、および省略を、添付の特許請求の範囲から逸脱することなく、好ましい他の例示的な実施形態の構成、作動条件、および配置構成に行うことができる。
【００４９】
代替的な実施形態によれば、任意の作業または方法の工程の順序または順列を変更または再配列することができる。いずれの手段と機能（ミーンズ・プラス・ファンクション）による記載も、記載した機能を実行するとして本明細書に記載された構成と、構造的均等物のみならず、均等な構造をも対象とすることを意図している。他の置換、改変、変更および省略を、添付の特許請求の範囲から逸脱することなく、好ましい他の例示的な実施形態の構成、動作設定、配置に行うことができる。
【図１】
0006550369.tif 000002
【図２】
0006550369.tif 000003
【図３】
0006550369.tif 000004
【図４】
0006550369.tif 000005
【図５】
0006550369.tif 000006
【図６】
0006550369.tif 000007
【図７】
0006550369.tif 000008
【図８】
0006550369.tif 000009
【図９】
0006550369.tif 000010
【図１０】
0006550369.tif 000011